(57)【特許請求の範囲】
【請求項１】
商品またはサービスのプロバイダの既存のカスタマーアカウントへと値を挿入するために、マーチャント端末において無線周波数識別（ＲＦＩＤ）カードを使用するシステムにおいて、
しるしによって一意的に識別されるＲＦＩＤカードと、
前記ＲＦＩＤカードに関連付けられたＲＦＩＤアカウントと、
ＲＦＩＤ通信モジュールを備えるマーチャント端末と、
前記マーチャント端末から、ＲＦＩＤカードを起動させる要求を受信し、値、および、プロファイル情報を、ＲＦＩＤアカウントに関係付けることにより、前記ＲＦＩＤカードを起動する中央プロセッサと
を具備し、
前記既存のカスタマーアカウントは、識別アカウント番号を有しており、
前記ＲＦＩＤ通信モジュールは、
ＲＦＩＤ通信を介して、前記しるし、および、前記プロバイダの既存のカスタマーアカウントを識別することができる情報を受け取り、
前記ＲＦＩＤカードを起動させる要求を、中央プロセッサに送って、前記ＲＦＩＤアカウントに関係つけられた値を要求し、
前記プロバイダの既存のカスタマーアカウントを識別することができる情報を含むＲＦＩＤアカウントにプロファイル情報を、関係付ける要求を送信し、
前記中央プロセッサは、前記プロファイル情報に基づいて、前記商品またはサービスのプロバイダをさらに決定し、
前記中央プロセッサは、前記ＲＦＩＤアカウントに関係付けられた前記値を、前記商品またはサービスのプロバイダの前記既存のカスタマーアカウントに挿入するために、前記プロバイダと選択的に通信するシステム。
【請求項２】
前記中央プロセッサは、さらなる識別情報を受信し、前記ＲＦＩＤアカウントに前記さらなる識別情報を関係付ける、請求項１記載のシステム。
【請求項３】
移動体電話機をさらに具備する、請求項２記載のシステム。
【請求項４】
前記さらなる識別情報は前記移動体電話機の電話番号を含む、請求項３記載のシステム。
【請求項５】
個人識別番号（ＰＩＮ）は前記ＲＦＩＤカード上に印刷されており、前記ＲＦＩＤカードの起動を認証するために、前記起動要求の間に、前記中央プロセッサに対して送られる、請求項１記載のシステム。
【請求項６】
前記プロファイル情報は、前記移動体電話機の埋め込み電子シリアル番号を含む、請求項３記載のシステム。
【請求項７】
前記プロファイル情報は、前記商品またはサービスのプロバイダの前記識別子、および、前記電子的シリアル番号に関係付けられた前記既存のカスタマーアカウントを識別することができる情報を含む、請求項６記載のシステム。
【請求項８】
ネットワークをさらに具備し、前記プロファイル情報は前記ネットワークから受信される、請求項１記載のシステム。
【請求項９】
前記ネットワークはインターネットを含む、請求項８記載のシステム。
【請求項１０】
前記プロファイル情報は、少なくとも１つの支払方法、デフォルト支払量、および、少なくとも１つの既存のカスタマーアカウントを識別するのに適切な情報を含む、請求項１記載のシステム。
【請求項１１】
前記中央プロセッサは、ユーザからの前記ＰＩＮを受信する、請求項３記載のシステム。
【請求項１２】
前記移動体電話機は電子シリアル番号（ＥＳＮ）を含み、前記ＥＳＮは前記既存のカスタマーアカウントに関係付けられている、請求項３記載のシステム。
【請求項１３】
前記既存のカスタマーアカウントと前記ＲＦＩＤアカウントとの間のインターフェイスをさらに具備し、前記既存のカスタマーアカウントに、前記ＲＦＩＤアカウントからの値を転送することができる、請求項１２記載のシステム。
【請求項１４】
前記移動体電話機に送られ、前記既存のカスタマーアカウントに前記ＲＦＩＤアカウントから値が追加されたことを確認する、テキストメッセージをさらに含む、請求項１３記載のシステム。
【請求項１５】
商品またはサービスのプロバイダの既存のカスタマーアカウントへと値を挿入するために、マーチャント端末において無線周波数識別（ＲＦＩＤ）カードを使用するシステムにおいて、
しるしによって一意的に識別されるＲＦＩＤカードと、
ＲＦＩＤアカウントを含むデータ記憶デバイスと、
移動体電話機と、
ＲＦＩＤ通信モジュールを備えるマーチャント端末と、
中央プロセッサと
を具備し、
前記既存のカスタマーアカウントは、識別アカウント番号を有しており、
前記ＲＦＩＤ通信モジュールは、
ＲＦＩＤ通信を介して、前記ＲＦＩＤカードから、前記しるし、および、前記プロバイダの既存のカスタマーアカウントを識別するのに十分な情報を受け取り、
前記ＲＦＩＤカードを起動させる要求を前記中央プロセッサに送り、
前記既存のカスタマーアカウントを識別することができる情報を含むＲＦＩＤアカウントにプロファイル情報を、関係付けさせる要求を、前記中央プロセッサに送り、
前記中央プロセッサは、
前記マーチャント端末から前記ＲＦＩＤカードを起動させる要求を受信し、
前記ＲＦＩＤカードに前記ＲＦＩＤアカウントを関係付けることによって、前記ＲＦＩＤカードを起動し、
前記ＲＦＩＤアカウントに値を関係付けし、
前記プロファイル情報に基づいて、前記移動体電話機に関係付けられた電子シリアル番号（ＥＳＮ）または電話番号を識別し、
前記サービスまたは製品のプロバイダに関係付けられたユーザアカウントに前記ＥＳＮまたは前記電話番号を関係付けし、
前記プロファイル情報に基づいて、前記商品またはサービスのプロバイダを決定し、
前記商品またはサービスのプロバイダの前記既存のカスタマーアカウントに前記ＲＦＩＤアカウントに関係つけられた前記値を挿入し、
前記既存のカスタマーアカウントに前記値が挿入されたことを確認するテキストメッセージを前記移動体電話機に送るシステム。
【発明の詳細な説明】
【関連出願】
【０００１】
本出願は２００５年９月２３日に出願された、米国特許出願第１１／２３３，７０４号の一部継続であり、これに対して優先権を主張する。また、この米国出願は２００５年３月２３日に出願された米国仮出願第６０／６６４，１８８号に対して優先権を主張し、これらの両方は参照によりその全体が組み込まれている。
【発明の背景】
【０００２】
本発明はさまざまな購入取引中での無線周波数識別（ＲＦＩＤ）の使用に一般的に向けられている。より詳細には、本発明はワイヤレス使用時間およびその他のサービスの前払を強化するためにＲＦＩＤを使用することに向けられている。
【０００３】
商品および／またはサービスに対して支払をする、当業者に知られている１つの方法は、前もってアカウントにクレジット付けして、ユーザが支払を行うことである。このタイプの支払は「前払」として一般的に知られている。支払を行い、ユーザのアカウントにクレジット付けするプロセスは「補充（ｔｏｐ−ｕｐ）」として一般的に知られており、補充はユーザが比較的小額で頻繁に彼らのアカウントを補充する、通常の使用法を反映している。数多くの前払システムはユーザがさまざまな小売商店において支払できるようにし、これによってユーザが都合のよいロケーションにおいて、補充のために支払できる。ワイヤレス電気通信に加えて、そのようなプリペイドアカウントは現在数々の他の商品およびサービスに対して使用されている。
【０００４】
記憶値カードの使用を通してそのようなプリペイドアカウントに値を追加することが当業者によって知られている。プリペイドアカウントへの記憶値の挿入はいくつかのステップを持つ。第１に、ユーザは小売商店において値に関係付けられた記憶値カードを購入する。記憶値カードの購入の際に、カードが起動されてもよい。そのような起動は、ユーザが購入している特定の記憶値カードを識別するのに十分な情報を提供する小売業者またはユーザによって、達成されてもよい。この情報は、記憶値カード上の磁気ストライプを通すことによって、記憶値カード上のバーコードをスキャンすることによって、または、記憶値カード上に位置するアカウント情報を入力することによって、中央プロセッサに提供されることが多い。
【０００５】
第２に、例えば、カード裏面のフリーダイヤル番号に通話することによりユーザは中央プロセッサにアクセスし、記憶値カードに関係付けられた値をユーザのプリペイドアカウントに追加するように要求する。ユーザはアカウントに関係付けられた電話番号およびアカウントプロバイダの名称のような、ユーザのアカウントを識別するのに十分な情報を一般的に提供しなければならない。一度適切な認証が受信され、任意の必要な情報が確認されると、中央プロセッサは記憶値カードに関係付けられた値をユーザのプリペイドアカウントに追加させてもよい。（１）支払量、（２）支払の安全な受領の確認、（３）支払が適用されることになる移動体電話機の番号、および、（４）移動体電話機番号が関係付けられているワイヤレス通信会社を含む、情報のいくつかの断片がこの取引の間に提供されなければならない。
【０００６】
現在、磁気ストライプを読み取ること、（縦線および二次元の）バーコードを読み取ること、手動入力および／またはインターラクティブ音声応答（ＩＶＲ）システムでの入力によるような、さまざまな異なる方法で、この情報が提供される。これらの技術の組合せも使用されてもよい。
【０００７】
記憶値カードを使用して、プリペイドアカウントに値を挿入するプロセスは、特定の記憶値カードアカウントを適切に識別し、このアカウントに値を追加し、ユーザが資金提供を望む特定のプリペイドサービスを適切に識別し、記憶値カードアカウントからユーザのプリペイドアカウントに値を転送することをユーザに要求する、複数ステップのプロセスであることが理解される。大量の取引は非効率的であり、これらのステップのそれぞれでのユーザおよび／または小売業者の介入の必要性は、プロセスにおけるエラーの可能性を増加させる。
【０００８】
したがって、製品およびサービスに対する購入取引をより便利に効率よく、タイミングよく行うことが望ましい。
【０００９】
無線周波数識別（ＲＦＩＤ）はワイヤレス通信技術において周知である。ＲＦＩＤ技術はタグおよび質問器を一般的に含み、それぞれがお互いに離れて位置している。ＲＦＩＤタグはチップまたは中継器としても知られており、ＲＦＩＤ質問器はリーダ、トランシーバまたはデコーダとしても知られている。現在、それらの電力源により特徴付けられる、一般的にタグの３つの（３）主要なカテゴリ、すなわち、パッシブ、セミパッシブおよびアクティブがある。パッシブタグは何の内部電力も持たず、データを送信するために外部源から電力を吸収しなければならない。セミパッシブタグおよびアクティブタグは内部電力源を持っている。（ビーコンとしても知られている）アクティブタグは定期的間隔でデータを送信する一方、セミパッシブタグはタグが質問されるまで彼らのデータを一般的に送信しない。
【００１０】
一般的に、ＲＦＩＤ質問器が起動信号を出力し、起動信号はＲＦＩＤタグにより受信される。起動信号を受信すると、ＲＦＩＤタグは起動され、ＲＦＩＤタグ上に記憶されたデータをＲＦＩＤ質問器に出力する。ＲＦＩＤ質問器は受信したデータをホストコンピュータに渡し、オプション的にＲＦＩＤタグ上に記憶されるように付加的情報を送ってもよい。
【００１１】
ＲＦＩＤは磁気ストライプまたはバーコードのような他のデータ記憶システムに対する必要性を減少または削除することができ、したがって、そのような媒体を読み取ることに関係する困難性を減少または削除することができる。ＲＦＩＤは手動入力およびインターラクティブ音声応答（ＩＶＲ）システムに対する必要性も減少または削除することができる。ＲＦＩＤ可能なデバイスは既存の支払／購入プロセスを強化するために小売商店においてますます使用されている。  
したがって、製品およびサービス、特にプリペイド製品およびサービスを購入するシステムと方法にＲＦＩＤ技術を組み込むことが望ましい。
[従来の技術]
【００１２】
【特許文献１】米国特許出願公開第２００４／０２６０６４６号明細書
【特許文献２】米国特許出願公開第２００５／０１４３０５１号明細書
【特許文献３】米国特許出願公開第２００６／０２３１６１１号明細書
【特許文献４】米国特許第６０３８５４９号明細書
【特許文献５】米国特許第６９３４５２９号明細書
【特許文献６】国際公開第００／３３２６４号パンフレット
【特許文献７】欧州特許出願公開第１１６４７７７７号明細書  [発明の概要]
【発明の概要】
【００１３】
本発明の観点は無線周波数識別（ＲＦＩＤ）支払カードを使用する方法およびシステムを含む。方法はＲＦＩＤカードを識別するしるしを受信すること、ＲＦＩＤカードを起動する要求を受信すること、ＲＦＩＤカードに関係付けられたデータベース記録に初期値を関係付けることによりＲＦＩＤカードを起動させること、ＲＦＩＤカードに関係付けられたＰＩＮを受信すること、プロファイル情報を受信すること、および、プロファイル情報をデータベース記録に関係付けることを一般的に含む。ＲＦＩＤカードを使用するシステムは、ＲＦＩＤカードと、ＲＦＩＤカードに関係付けられたＲＦＩＤアカウントと、ＲＦＩＤカードを識別するしるしを受信し、ＲＦＩＤカードを起動する要求を送るマーチャント通信モジュールと、マーチャント通信モジュールからＲＦＩＤカードに関係付けられたＰＩＮおよびＲＦＩＤカードを起動する要求を受信する中央プロセッサまたは仲介器とを一般的に含む。
【００１４】
上の一般的な説明と以下の詳細な説明の両方は、単に例示的で説明的なものであることを理解すべきであり、添付の特許請求の範囲に記載の本発明を制限するものではないことを理解すべきである。添付の図面は明細書の一部をなし、本発明の特定の実施形態を図解し、詳細な説明とともに本発明の原則を説明するものとして働く。
【００１５】
本発明の理解を助けるために、同じ参照文字は同じ要素を表している添付の図面に対する参照がここで行われる。図面は単に例示的なものであり、本発明を制限するものとして解釈すべきでない。
【実施形態の詳細な説明】
【００１６】
本発明の実施形態に対してここで詳細に参照を行い、その例を添付の図面に図解する。
【００１７】
上に述べたように、無線周波数識別（ＲＦＩＤ）はＲＦＩＤタグとＲＦＩＤ質問器との間のワイヤレス通信を可能にする。ＲＦＩＤタグはエネルギーと信号を受信するための（および信号を送信するための）アンテナ、メモリチップ、一意的な識別子、ならびに、オプション的に内部電力供給源を一般的に含む。メモリチップは読み出し／書き込み能力を有し、ＲＦＩＤ質問器によって制御されてもよい。ＲＦＩＤ質問器はタグにデータを送信するためのトランシーバと、タグからデータを受信するための受信機、電力供給源およびデコーダから一般的になっている。ＲＦＩＤ質問器はホストコンピュータまたは通信ネットワークに関係付けられていてもよい。
【００１８】
ＲＦＩＤタグは非常に小型であってもよく、さまざまなアイテムに組み込まれていてもよい。本発明に対して特定の関連性があることは、記憶値カードおよび／またはワイヤレス通信デバイス中にＲＦＩＤタグを埋め込む能力である。通常はこれに限ったものでないが小売環境において広範囲の製品とサービスに対する購入および／または前払のためにＲＦＩＤ可能な記憶値カードを使用してもよい。ＲＦＩＤ可能なワイヤレス通信デバイスは、ワイヤレス通信デバイスと、質問器との間の取引を簡単にするのに使用されてもよい。質問器はポイントオブセール（ＰＯＳ）デバイスに位置していてもよい。ＲＦＩＤ可能なワイヤレス通信デバイスはしたがって、複数の目的に対して使用されてもよく、それらのいくつかを以下により詳細に説明する。
【００１９】
記憶値カードまたはワイヤレス通信デバイスに組み込まれた各ＲＦＩＤタグは、それ自身の一意的な識別子を持っていてもよく、各ＲＦＩＤタグが埋め込まれている（例えば、特定の記憶値カードまたは特定のワイヤレス通信デバイスのような）コンポーネントの識別子を含んでいてもよい。各ＲＦＩＤタグの識別子は関係するコンポーネント情報とともに、後の参照のために中央データベース中に記憶される関連する記録中に保持されてもよい。
【００２０】
ＲＦＩＤ可能なコンポーネントが使用されるとき、追加的なユーザ、製品および支払情報が、中央データベース記録に順次追加されてもよい。ＲＦＩＤ質問器はＰＯＳ、専用キオスク、または他のそのような小売環境に位置して、この情報にアクセスしてもよい。
【００２１】
図１を参照して、本発明のいくつかの実施形態にしたがった、ＲＦＩＤ可能な記憶値カード１００をここで説明する。ＲＦＩＤ可能な記憶値カード１００は、任意の形状および構成のものであってもよく、任意のタイプの素材も含んでいてもよい。本発明のいくつかの実施形態では、ＲＦＩＤ可能な記憶値カード１００はプラスチックで作られた、同一のまたは類似した比率および特徴を有している、標準クレジットまたはデビットカードと同一のまたは類似した構成であってもよい。ＲＦＩＤ可能な記憶値カード１００は、例えば、キーチェーンカード、折りたたみ紙カード、金属カード等の、カード状であるが、標準クレジットまたはデビッドカードとは異なる比率を有するものであってもよい。さらに、ＲＦＩＤ可能な記憶値カード１００は、例えば、キー・フォブ、ミニチュアフィギュア、および／または、通信デバイスのような、非カード状であってもよい。
【００２２】
ＲＦＩＤ可能な記憶値カード１００は、機械読取可能媒体１２０、個人識別番号（ＰＩＮ）１３０、および、情報アクセスアドレス１４０を含んでいてもよい。ＲＦＩＤ可能な記憶値カード１００はオプション的に他の情報１５０を含んでいてもよい。これらのコンポーネントのそれぞれはオプション的なものであり、ＲＦＩＤ可能な記憶値カード１００はこれらのコンポーネントのすべてを含まなくてもよく、または、付加的なコンポーネントをさらに含んでいてもよいことが完全に企図されている。
【００２３】
本発明のいくつかの実施形態では、ＲＦＩＤタグ１１０はパッシブＲＦＩＤタグであってもよいが、ＲＦＩＤタグ１１０はセミパッシブまたはアクティブＲＦＩＤタグであってもよいことも企図されている。機械読取可能媒体１２０は、これらに制限されないが、磁気ストライプ、一次元または二次元バーコード、一連のイメージまたはシンボル等のような、任意のフォーマットであってもよい。
【００２４】
ＰＩＮ１３０は、ＲＦＩＤ可能な記憶値カード上の（例えば、スクラッチパネルまたは他の安全性保護物の下に）最初のうちは隠されていてもよく、あるいは完全に可視であってもよい。ＰＩＮは数字、英字、または英数字からなっていてもよい。可能性のある一意的な順列の数がより多いので、英字のみからなるアルファＰＩＮは、数字のみを使用するＰＩＮよりも望ましい。さらに、英字だけのＰＩＮは、数字だけのＰＩＮよりもユーザにとって判別しやすく、このため、両方のＰＩＮが異なる目的に対して実装されてもよい。集中型データベースが、各ＲＦＩＤタグの識別子、ＲＦＩＤタグが埋め込まれたＲＦＩＤ可能な記憶値カード、および、関係するＰＩＮのレコードを保持してもよい。
【００２５】
情報アクセスアドレス１４０は、ユーザをさらなる情報に向かわせる任意の形式をとってもよい。情報アクセスアドレス１４０は（例えば、フリーダイヤル番号のような）電話番号の形式であってもよく、（例えば、ＳＭＳ通信のような）直接のテキストメッセージへの番号、特定のインターネットアドレス、ｅメールアドレス、および／または、物理的な郵便住所の形式であってもよい。
【００２６】
ＲＦＩＤ可能な記憶値カードは、他の情報１５０を含んでいてもよい。他の情報１５０は、以下のものを含んでいてもよいが、これらに制限されるわけではない。すなわち、第１の使用および次の使用に対する指示、（例えば、ＲＦＩＤ可能な記憶値カードを引換えることができる商品またはサービスのプロバイダの名称および／または登録商標のような）特定のブランド、（例えば、ＲＦＩＤ可能な記憶値カードの購入時における最初の額面金額のような）第１の使用値、必要とされる法的通知、および／または、ユーザにとって有用であってもよく、そうでなければ要求されてもよい、他の任意の情報。
【００２７】
図２を参照して、ＲＦＩＤ可能な記憶値カード１００を使用するシステム２０をここで説明する。システム２０は、ポイントオブセール（ＰＯＳ）端末２１０、ポイントオブセール（ＰＯＳ）システム２２０、および、中央プロセッサ２３０からなっていてもよい。システム２０は、オプション的にワイヤレス通信デバイス２４０をさらに含んでいてもよい。ＰＯＳ端末２１０はＰＯＳシステム通信モジュール２１１、機械リーダ通信モジュール２１２、機械リーダ２１３、およびＲＦＩＤ質問器２１４を含んでいてもよい。ＰＯＳシステム通信モジュールは、ＰＯＳ端末２１０とＰＯＳシステム２２０との間の通信を提供してもよい。機械リーダ通信モジュール２１２はＰＯＳ端末と、機械リーダ２１３と、ＲＦＩＤ質問器２１４との間の通信を提供してもよい（ＰＯＳシステム通信モジュール２１１により、ＰＯＳ端末とＰＯＳシステム２２０との間の通信を提供してもよい）。機械リーダ２１３は、磁気ストライプリーダ、（一次元または二次元の）バーコードリーダ、光学認識デバイス等を含むが、これらに制限されるわけではない。ＲＦＩＤ質問器２１４はＲＦＩＤタグが存在しているかどうかを決定する手段、および、ＲＦＩＤタグ上に存在している任意の情報を読み取る手段を提供してもよい。
【００２８】
ＰＯＳシステム２２０は、支払カードシステム通信モジュール２２１、ＰＯＳ端末通信モジュール２２２、および、ユニバーサル製品コード（ＵＰＣ）データベース２２３から一般的になっていてもよい。支払カードシステム通信モジュール２２１は、ＰＯＳシステム２２０と中央プロセッサ２３０との間の通信を提供してもよい。中央プロセッサ２３０はＰＯＳシステム２２０から離れたロケーションに位置していてもよい。ＵＰＣデータベース２２３は、特定のマーチャントまたは小売業者と、マーチャントまたは小売業者のグループと、マーチャントまたは小売業者の企業連盟とから利用可能なすべての製品に対するさまざまな製品コードを反映させてもよい。
【００２９】
中央プロセッサ２３０は、ＰＯＳ端末２１０およびＰＯＳシステム２２０から離れて位置していてもよく、一般的にデータベース２３１、ＰＯＳシステム通信モジュール２３２およびワイヤレス通信デバイス通信モジュール２３３を一般的に含んでいてもよい。データベース２３１は、１つ以上のＲＦＩＤ可能な記憶値カード１００に関係付けられた情報を含んでいてもよい。データベース２３１は、ＲＦＩＤ可能な記憶値カード１００ＰＩＮ、起動番号、識別番号、および／または、アカウント情報のような情報を含んでいてもよい。ＰＯＳシステム通信モジュール２３２は、中央プロセッサ２３０とＰＯＳシステム２２０との間の通信を提供してもよい。ワイヤレス通信デバイスモジュール２３３は、ワイヤレス通信デバイス２４０との通信を提供してもよい。
【００３０】
ワイヤレス通信デバイス２４０は、ユーザが離れたエリアに位置している第三者と通信することを可能にする任意のワイヤレスデバイスであってもよい。ワイヤレス通信デバイス２４０は、ワイヤレス電話機、ＳＭＳデバイス、ワイヤレスｅメールデバイス、ページャー、パーソナルデジタルアシスタント等であってもよいが、これらに制限されるわけではない。
【００３１】
図１、２および３を参照して、本発明のいくつかの実施形態にしたがった、ＲＦＩＤ可能な記憶値カード１００を起動する方法３０をここで説明する。ステップ３１０において、ユーザはＲＦＩＤ可能な記憶値カード１００を選択する。ＲＦＩＤ可能な記憶値カード１００は、単一の選択であってもよく、または、ユーザが行う他のさまざまな製品またはサービスの選択に含まれていてもよい。ユーザはＲＦＩＤ可能な記憶値カード１００を、他の任意の選択された製品またはサービスとともに購入のためにＰＯＳ端末２１０に持ってきてもよい。
【００３２】
ステップ３２０において、ＰＯＳ端末２１０はＲＦＩＤ可能であるとして記憶値カードを認識する。ＲＦＩＤ可能な記憶値カード１００上の機械読取可能媒体１２０がＰＯＳ端末２１０に関係付けられた機械リーダ２１３により読み取られたとき、ＰＯＳ端末２１０がこのことを認識してもよい。代わりに、ＲＦＩＤ質問器２１４がアクティブであり、ＲＦＩＤタグを検出する場合に、ＰＯＳ端末２１０がＲＦＩＤ能力を認識してもよい。
【００３３】
ステップ３３０において、ＰＯＳ端末２１０が記憶値カード１００をＲＦＩＤ可能であるとして認識した後、ＰＯＳ端末２１０はＲＦＩＤ質問器２１４を起動する。ＲＦＩＤ質問器２１４がすでにアクティブである場合、このステップを省略してもよい。ＲＦＩＤタグ１１０がパッシブまたはセミアクティブである場合、ＲＦＩＤ質問器２１４はＲＦＩＤタグ１１０を起動する。ステップ３４０において、ＲＦＩＤ質問器２１４はＲＦＩＤタグ１１０上で記録された情報を取り込む。この情報は購入された特定のＲＦＩＤ可能な記憶値カード１００を識別するしるしを含んでいてもよい。ＲＦＩＤ質問器２１４はＰＯＳ端末２１０の機械リーダ通信モジュール２１２にこの情報を伝える。ＰＯＳ端末２１０は、ＰＯＳシステム通信モジュール２１１によりＰＯＳシステム２２０にこの情報を伝える。ステップ３５０において、ＰＯＳシステム２２０は、購入された特定のＲＦＩＤ可能な記憶値カード１００を起動するように、支払カードシステム通信モジュール２２１により、中央プロセッサ２３０に要求を送る。
【００３４】
ステップ３６０において、中央プロセッサ２３０は起動要求を受信し、購入された特定のＲＦＩＤ可能な記憶値カード１００を起動する。ＲＦＩＤ可能な記憶値カードの起動は、特定のＲＦＩＤ可能な記憶値カード１００に関係付けられたアカウントに値を関係付けることにより達成されてもよい。この値はいくつかのＲＦＩＤ可能な記憶値カードに対する固定された額面金額であってもよく、ユーザによって選択可能であってもよい。代わりに、ＲＦＩＤ可能な記憶値カード１００の起動は、中央プロセッサ２３０のデータベース２３１中にフラグを挿入し、フラグを削除し、フラグを修正することにより達成されてもよい。
【００３５】
ＲＦＩＤ可能な記憶値カード１００は、もうアクティブであってもよく、ユーザは購入されたＲＦＩＤ可能な記憶値カード１００に対して支払ってもよい。ＲＦＩＤ可能な記憶値カード１００の起動は、ユーザがうまく支払ったことを確認する後まで遅らせてもよい。代わりに、ＲＦＩＤ可能な記憶値カード１００は、最初に起動されるが、起動後の設定された時間内に支払が確認されない場合、後で動作停止にされてもよい。
【００３６】
図１、２および４を参照して、ＲＦＩＤ可能な記憶値カード１００の最初の使用をここで説明する。ステップ４１０において、ユーザはＲＦＩＤ可能な記憶値カード１００のＰＩＮ１３０を取得する。上記のように、ＰＩＮ１３０は（例えば、ラテックス安全性保護物のような）スクラッチパネルの下に印刷されていてもよく、他の方法で購入以前に見えないように隠されていてもよい。ＰＩＮ１３０を取得するため、ユーザは安全性パネルをはがし、または他の方法でＰＩＮ１３０を見てもよい。
【００３７】
ステップ４２０において、中央プロセッサ２３０にＰＩＮ１３０および／または他の任意の要求された識別しるしを提供する。ユーザは、通話、テキストメッセージ（ＳＭＳ）、ＩＶＲ、トーン認識、オペレータに口頭でこのことを述べること、インターネットウェブページにアクセスすること等により、中央プロセッサ２３０にこの情報を提供してもよい。このステップはユーザと中央プロセッサ２３０との間の通信を提供する任意の方法で達成されてもよい。
【００３８】
ステップ４３０において、ユーザは、ＲＦＩＤ可能な記憶値カード１００からの値をユーザが追加したいと望む、アカウントに関する情報を提供してもよい。この情報はアカウント番号、電話番号等を含んでいてもよい。このステップはユーザと中央プロセッサ２３０との間の通信を提供する任意の方法で達成されてもよい。
【００３９】
オプション的に、ステップ４４０において、中央プロセッサ２３０は、ＲＦＩＤ可能な記憶値カード１００からの値をユーザが追加したいと望む、アカウントに関する情報を自動的に検出してもよい。ユーザがワイヤレス通信デバイス２４０を使用して中央プロセッサ２３０とコンタクトする場合に、このことが自動的に達成されてもよく、ワイヤレス通信デバイス２４０のサービスアカウントは記憶値の望ましいターゲットである。例えば、（ワイヤレス電話機等のような）移動体通信デバイスは、一意的な識別子として働く、埋め込み電子シリアル番号（ＥＳＮ）を含んでいる。ユーザからの通信が受信されたとき、ＥＳＮが中央プロセッサ２３０によって識別されてもよい。さらに、中央プロセッサ２３０はＥＳＮを追跡してもよく、または、データベース２３１中の特定の通信会社と特定の電話番号とにＥＳＮを関係付けてもよい。
【００４０】
中央プロセッサ２３０は、通信会社、（例えば、電話番号のような）特定のワイヤレス通信番号、および／または、ユーザの通信会社アカウント番号を、検出されたＥＳＮに関係付けてもよい。したがって、中央プロセッサ２３０と接触するユーザのワイヤレス通信デバイス２４０の電気通信サービスのプロバイダに、ＲＦＩＤ可能な記憶値カード１００上の記憶値を提供することが意図されているとき、ＥＳＮおよびＲＦＩＤ可能な記憶値カードＰＩＮ１３０は、取引を完了するのに十分な情報を供給するかもしれない。いくつかの環境下では、ユーザはＰＩＮ１３０を提供するだけでよく、（ユーザ識別子、移動体電話サービスプロバイダ、値の量のような）他の必要な情報は他の手段により取得される。
【００４１】
同様に、ユーザは中央プロセッサ２３０または仲介器のインターネットアドレスに対して、カードＰＩＮ１３０を含むｅメールを送ってもよい。インターネットサービスの購入を完了するために必要な他のすべてのデータは、自動的に関係付けられてもよく、インターネットサービスの購入が完了してもよい。
【００４２】
ステップ４５０において、中央プロセッサ２３０は、ＲＦＩＤ可能な記憶値カード１００に関係付けられたアカウントから、（例えば、プリペイドワイヤレス電話アカウントのような）ユーザが値を追加したいと望むユーザのアカウントに値を提供する。
【００４３】
図１、２および５を参照して、本発明のいくつかの実施形態にしたがったＲＦＩＤ可能な記憶値カード１００の次の使用に対する方法５０をここで説明する。ステップ５１０において、ユーザはカード上に値を「補充（top off）」、再ロードまたは再チャージするために、小売業者またはマーチャントにＲＦＩＤ可能な記憶値カード１００を持ってくる。ステップ５２０において、ＰＯＳ端末２１０はＲＦＩＤ可能であるとして記憶値カード１００を認識する。この認識は、ＲＦＩＤ質問器２１４が記憶値カード１００のＲＦＩＤ能力を検出した結果であってもよく、または、機械リーダ２１３が（ＰＯＳシステム通信モジュール２１１により）ＰＯＳ端末２１０およびＰＯＳシステム２２０に製品コードを伝え、それをＰＯＳシステム２２０がＲＦＩＤ可能な製品として検出し、ＲＦＩＤ質問器２１４をターンオンしたことによる結果であってもよい。
【００４４】
ステップ５３０において、ＰＯＳシステム２２０は中央プロセッサ２３０と通信し、ＰＯＳ端末２１０に補充オプションを伝える。マーチャントまたは小売業者は特定のＲＦＩＤ可能な記憶値カード１００に対して利用可能な補充オプションをユーザに知らせてもよい。
【００４５】
ステップ５４０において、ユーザは望ましい再チャージオプションを選択する。ステップ５５０において、中央プロセッサ２３０にユーザの選択が伝えられる。
【００４６】
ステップ５６０において、中央プロセッサ２３０は以前の取引でＲＦＩＤ可能な記憶値カード１００に関係付けられたのと同じユーザ識別子および／またはＲＦＩＤカードアカウントに対して、ユーザによって選択された値をクレジット付けしてもよい。ユーザによって選択された場合、オプション的ステップ５７０において、中央プロセッサ２３０は以前に使用されたユーザのアカウントに直接、選択された量の値を自動的に提供してもよい。
【００４７】
ユーザがステップ５７０でのような自動的な資金提供を選択しなかった場合、ステップ５８０において、ユーザは、ＲＦＩＤ可能な記憶値カード１００からの値をユーザが追加したいと望むアカウントに関する情報を提供してもよい。この情報はアカウント番号、電話番号等を含んでいてもよい。このステップはユーザと中央プロセッサ２３０との間の通信を提供する任意の方法で達成されてもよい。
【００４８】
図１、２および６を参照して、本発明のいくつかの実施形態にしたがったＲＦＩＤ可能な記憶値カードに対する代わりの支払オプションの方法をここで説明する。本発明にしたがったいくつかの実施形態では、ＲＦＩＤ可能な記憶値カード１００を購入した後、ウェブサイトを使用してユーザプロファイルを作成してもよい。ステップ６１０において、ユーザはユーザのＲＦＩＤ可能な記憶値カードアカウントを管理するのに使用される特定のウェブサイトを訪問する。ウェブサイトへのユーザの最初の訪問の間に、ユーザはＲＦＩＤを識別するしるし、および、（ユーザの電話番号および通信会社のような）指定されたプロバイダ情報をユーザのプロファイル中に入力する。
【００４９】
ステップ６３０において、ユーザはＲＦＩＤ可能な記憶値カード１００に対する、さまざまな支払源に関する情報を提供する。これらの支払源はクレジットカードアカウント、デビッドカード番号、（小切手、預金、金融市場、投資等の）銀行アカウント情報、および他の任意の財産源を制限無く含んでいてもよい。ステップ６３０において、ユーザはデフォルト資金提供源を選択する。例えば、ユーザは彼または彼女の小切手アカウントからの電子的引き出しでＲＦＩＤ可能な記憶値カード１００に資金提供することを選択してもよい。
【００５０】
ステップ６４０において、ユーザはデフォルト支払または資金提供量を選択する。例えば、ユーザは５０ドルのデフォルト支払量を選択してもよい。
【００５１】
ステップ６５０において、ユーザはデフォルト支払頻度を選択する。ユーザは（例えば、毎月のような）期間的ベースでＲＦＩＤ可能な記憶値カード１００に自動的に資金提供させることを選択してもよく、または、後のユーザの介入の際にだけＲＦＩＤ可能な記憶値カード１００に資金提供することを選択してもよい。例えば、ユーザは彼または彼女の小切手口座から毎月５０ドルを引き出させ、ＲＦＩＤ可能な記憶値カード１００に追加させることを選択してもよく、または、デフォルト値でシステムを設定するが、何らかの実際の資金提供が達成される前に、さらなるユーザの介入を要求してもよい。
【００５２】
ステップ６６０において、ユーザは、ＲＦＩＤ質問器によってＲＦＩＤ可能な記憶値カード１００を読み取らせる。ＲＦＩＤ質問器はＰＯＳ端末のコンポーネントであってもよく、航空会社チェックインキオスクのような（単一目的）専用であるスタンドアローンのキオスクのコンポーネントであってもよく、または、現金自動預入支払機（ＡＴＭ）のような複数目的のものであってもよい。ＲＦＩＤ質問器はＲＦＩＤ可能な記憶値カード１００上の情報を読み出し、ステップ６１０−６５０中で上に説明したユーザのインターネットセッションの間にユーザによって確立された保存プロファイルにアクセスする。
【００５３】
ステップ６７０において、ＰＯＳ端末またはキオスクは、ユーザが彼らの（例えば、予め定められた）デフォルトオプションを選択すること、または、異なる資金提供源、量および頻度を選択することを要求してもよい。ユーザが彼らのデフォルト選択を選択する場合、ステップ６８０において、ＰＯＳ端末またはキオスクは、適切な引き出しおよび資金提供を行う中央プロセッサにそのような選択を通信する。（例えば、ワイヤレス使用時間アカウントのような）特定のアカウントに資金を自動的に挿入させることをユーザが選択した場合、中央プロセッサはユーザのアカウント中に（任意の適応可能なサービス手数料を差し引いて）引き出された資金を自動的に預けてもよい。
【００５４】
ユーザがデフォルト選択を選択しない場合、ステップ６８５において、ユーザは望みの通りに資金源、量、および／または、頻度を選択してもよい。
【００５５】
ステップ６９０において、ステップ６８０または６８５におけるユーザの選択にしたがって、中央プロセッサはＲＦＩＤ可能な記憶値カード１００に資金提供する。ＲＦＩＤ可能な記憶値カード１００から（例えば、ワイヤレス使用時間アカウントのような）選択されたユーザアカウントへの支払を自動的に提供することをユーザが選択した場合、中央プロセッサはステップ６９０において、そのような支払を行う。
【００５６】
ユーザとＰＯＳ端末（または、マーチャント、クラーク等）との間の任意の相互対話はユーザの選択に依存していてもよいことに留意することが重要である。言い換えると、ユーザが（例えば、小切手アカウントのような）デフォルト資金提供オプションを使用することを選択した場合、ＲＦＩＤ記憶値カード資金提供に関連する、どの資金もユーザとＰＯＳ端末（または、マーチャント、クラーク等）との間で交換されない。ユーザが現金または記録のないクレジットカードの資金提供オプションを選択した場合、ユーザはＰＯＳ端末（または、マーチャント、クラーク等）にそのような現金またはクレジットカードを提供するだろう。
【００５７】
上に述べたように、キオスクまたは他のユーザ操作される端末の使用を通して、上に述べたいくつかの、または、すべてのステップが達成されてもよく、あるいは、どのステップも達成されなくてもよい。キオスクはＲＦＩＤ質問器を装備していてもよく、上に説明した支払オプションをユーザに提供してもよく、および／または、ユーザに対して、彼らのデフォルト選択を修正する能力を提供してもよい。例えば、キオスクは取引を確認してもよく、デフォルト選択を認可する、または、異なる選択を行う要求をユーザに提示してもよい。例えば、相互対話タッチスクリーン上の単一「キー」は、ユーザが以下のいずれかを選択できるようにしてもよい。すなわち、ａ）デフォルトプロバイダおよび関係するユーザアカウント番号、ｂ）デフォルト量、ｃ）デフォルト支払源。
【００５８】
ＲＦＩＤ可能な記憶値カードはさまざまな他の目的に対して使用されてもよい。例えば、（記憶値カードのような）ＲＦＩＤ可能製品は、（例えば、バーコードリーダ、磁気ストライプリーダ等のような）従来の機械リーダによって、読み取る必要がなくてもよい。代わりに、埋め込みＲＦＩＤタグが離れた場所において読み取られてもよく、これはより便利な購入となる。例えば、（記憶値カードのような）そのようなＲＦＩＤ可能な製品の購入者は、彼らのショッピングカートから製品を取り出す必要なく、単に製品をＲＦＩＤ質問器との通信状態に置くだけでよい。
【００５９】
本発明のいくつかの実施形態にしたがうと、ＲＦＩＤ可能な記憶値カードは一般的な支払カードとして使用されてもよい。上に説明したように、ＲＦＩＤ可能な記憶値カードは、（例えば、ＲＦＩＤ可能な記憶値カードに関係付けられたアカウントのような）それに関係付けられた、ある量の値を持っていてもよい。これらの資金はユーザによって一般的な購入に対して使用されてもよい。ユーザは商品またはサービスを購入してもよく、（例えば、ＰＯＳ端末において）ＲＦＩＤ質問器がＲＦＩＤ可能な記憶値カード中のＲＦＩＤタグを読み取りできるようにしてもよい。ＰＯＳは、中央プロセッサに支払要求とともに、ＲＦＩＤタグから取得されたデータと購入取引に関する情報とを送ってもよい。中央プロセッサはＲＦＩＤ可能な記憶値カードに関係づけられたアカウントに借り方記入（デビット付け）してもよく、（例えば、ユーザの小切手アカウントまたはクレジットカードのような）ＲＦＩＤ可能な記憶値カードに対する資金源に借り方記入（デビット付け）してもよい。中央プロセッサはＰＯＳ端末に（例えば、「ＯＫ」または「ＮＯＫ」返答のような）支払取引が成功したかどうかを示す通信を返してもよい。
【００６０】
本発明のいくつかの実施形態にしたがうと、ＲＦＩＤ可能な記憶値カードは複数のアカウントに対する支払を提供するのに使用されてもよい。上に説明したように、ウェブサイトを使用してユーザプロファイルを作成してもよい。ユーザはユーザのＲＦＩＤ可能な記憶値カードアカウントを管理するのに使用される特定のウェブサイトを訪問して、ＲＦＩＤを識別するしるし、（源、量、および／または、頻度のような）資金提供の情報、ならびに、複数の指定されたプロバイダ情報を入力してもよい。プロバイダ情報は（例えば、ワイヤレスプロバイダに対するユーザの電話番号、デジタルケーブルプロバイダに対するユーザのアカウント番号等のような）それぞれのプロバイダに対するユーザのアカウントを識別するのに十分な情報を含んでいてもよい。他のアカウントが明示的に選択されない限り、トップ優先度のアカウントが仮定されるように、アカウントは優先度順位付けされてもよい。例えば、ユーザとの相互対話の間に、トップ優先度のアカウントがスクロールタイプの選択メニュー中の最初に提示されてもよい。
【００６１】
ユーザはＰＯＳ端末または（例えば、キオスク、ＡＴＭマシン等の）均等物において、ＲＦＩＤ可能な記憶値カードを提示してもよい。ＰＯＳはＲＦＩＤ質問器を利用して、ＲＦＩＤ可能な記憶値カードを読み取ってもよく、ＲＦＩＤ可能な記憶値カードに関係付けられた登録プロファイルから、ユーザの好ましいアカウントのリストにアクセスしてもよい。このリストはスクリーン上で視覚的にユーザに対して提示されてもよい。ユーザはデフォルトアカウントおよびデフォルト値を選択してもよく、または、ユーザは非デフォルトアカウントおよび非デフォルト値を選択してもよい。この選択は口頭でマーチャントまたはクラークに対して行われてもよく、または、（例えば、タッチスクリーンを使用して）電子的に行われてもよい。
【００６２】
登録プロファイルからの支払オプションのリストがユーザに提示されてもよく、これらには任意のクレジットカード、デビットカード、ギフトカード、またはＰＯＳが許容する任意の商業的支払手段が含まれる。ユーザはデフォルト支払オプションを選択してもよく、または、非デフォルト支払オプションを選択してもよい。ユーザは選択されたアカウントに対して選択された支払を認証してもよい。ＰＯＳ端末は中央プロセッサとそのような選択を通信してもよい。ＲＦＩＤ可能な記憶値カードに関係付けられ、ユーザにより選択されたアカウントからそのような資金を引き落とすことで、中央プロセッサは選択されたアカウントに対して支払を行ってもよい。代わりに、ユーザはＰＯＳ端末に現金を提供してもよく、次にＰＯＳ端末は中央プロセッサに選択された支払を行うように命令してもよい。そのような状況では、ＰＯＳ端末（または、マーチャント）と中央プロセッサとの間で後の清算が発生してもよい。
【００６３】
いくつかの実施形態では、（例えば、ワイヤレス電話機のような）ワイヤレス通信デバイスはＲＦＩＤタグを含んでいてもよい。ＲＦＩＤタグは、ビーコンとして働き、定期的に情報を送信するアクティブなタグであってもよく、または、出力するように要求を受信した際のみに情報を出力するセミパッシブなものであってもよい。ＲＦＩＤタグはタグＩＤ、ＥＳＮ、および／または、（例えば、電話番号のような）ワイヤレス通信デバイスのアクセス番号を含む情報を出力してもよい。ＰＯＳ端末はワイヤレス通信デバイスのＲＦＩＤタグからこの情報を受信してもよく、この情報に基づいて、動作を実行してもよい。
【００６４】
例えば、ユーザはワイヤレス通信デバイスのプロバイダまたは通信会社に特定の量の値を提供するように要求してもよい。小売業者はＲＦＩＤ可能なＰＯＳ端末を使用して、取引を開始してもよい。ＰＯＳ端末はＲＦＩＤ可能なワイヤレス通信デバイスと通信してもよく、これによって、（例えば、プロバイダ、アカウント番号等の）必要な情報を取得してもよい。ユーザはＰＯＳ端末に支払を行ってもよく、次にＰＯＳ端末はワイヤレス通信デバイスのプロバイダまたは通信会社に値を提供してもよい。ユーザは（例えば、承認のために「＃」キーを押すように）ワイヤレス通信デバイス上で選択を行うことにより取引を認証してもよい。
【００６５】
ユーザのＲＦＩＤ可能なワイヤレス通信デバイスから情報を受信している小売業者は、ワイヤレス通信デバイスに関してユーザと相互対話してもよい。例えば、小売業者はさらなる使用時間または他のサービスをユーザに販売することを申し出てもよい。そのような申出はＰＯＳ端末のスクリーン上、または、ＲＦＩＤ可能なワイヤレス通信デバイス自体に表示されてもよい。ユーザはＰＯＳ端末との、または、ＲＦＩＤ可能なワイヤレス通信デバイスとの相互対話を通して、申出を受諾または拒否してもよい。
【００６６】
代わりに、小売業者は移動体電話機上のＲＦＩＤから情報を受け取った後、より複雑な取引を実行してもよい。例えば、小売業者はユーザの移動体電話機アカウントに残された時間の量を決定してもよく、その情報を使用してユーザと相互対話してもよい。例えば、小売業者は「あなたのアカウントには１５分だけしか残りがありません。あなたは１０ドルで、さらなる５００分を購入なさいますか？」のように尋ねてもよい。ユーザが同意する場合、ＰＯＳにおけるチェックアウト手続の間に、小売業者から他の任意のさらなる製品の売買と同時に、この売買を実行してもよい。
【００６７】
ＲＦＩＤ可能なワイヤレス通信デバイスのユーザは、ウェブサイトを使用してユーザプロファイルを作成してもよい。ユーザはユーザのＲＦＩＤ可能なワイヤレス通信デバイスを管理するのに使用される特定のウェブサイトを訪問してもよい。ウェブサイトへのユーザの最初の訪問の間に、ユーザはＲＦＩＤを識別するしるし、および、（ユーザの電話番号および通信会社のような）指定されたプロバイダ情報をユーザのプロファイル中に入力してもよい。ユーザはさまざまな支払源に関する情報も提供してもよい。これらの支払源はクレジットカードアカウント、デビッドカード番号、（小切手、預金、金融市場、投資等の）銀行アカウント情報、および、他の任意の財産源を制限無く含んでいてもよい。ユーザはデフォルト資金提供源を選択してもよい。
【００６８】
後の購入取引で、ユーザはＲＦＩＤ可能なワイヤレス通信デバイスを利用して、関係付けられた支払源から商品またはサービスに対する支払を行ってもよい。言い換えると、ユーザは小売業者またはマーチャントから購入するさまざまなアイテムを選択してもよい。ユーザはＲＦＩＤ可能なＰＯＳ端末にアイテムを持ってきてもよく、ＰＯＳ端末でアイテムが合計される。ＲＦＩＤ可能なＰＯＳ端末はユーザのＲＦＩＤ可能なワイヤレス通信デバイスと相互対話してもよい。ユーザは（マーチャントに対して口頭で、あるいは、ＲＦＩＤ可能なＰＯＳ端末および／またはＲＦＩＤ可能なワイヤレス通信デバイスでの電子的選択を通して）購入された商品に対する支払源を選択してもよい。選択の際に、ＲＦＩＤ可能なＰＯＳ端末はＲＦＩＤ可能なワイヤレス通信デバイスと通信して必要な支払情報を取得してもよい。ＰＯＳ端末は支払源から直接、または、資金源から補給される仲介アカウントから資金を引き出してもよい。
【００６９】
この方法で、ユーザはインターネット機能を備えるＲＦＩＤ可能なワイヤレス通信デバイスを使用して、インターネット上で購入を行ってもよい。ユーザはＲＦＩＤ可能なワイヤレス通信デバイスによって、彼または彼女が購入を望む商品またはサービスを選択し、資金供給源を選択してもよい。商品およびサービスに加えて、ユーザがＲＦＩＤ可能なワイヤレス通信デバイスを使用して、給油ポンプでの迅速な支払取引のためにＲＦＩＤ可能ガソリン給油ポンプに支払を行うことも企図されている。
【００７０】
本発明にしたがったいくつかの実施形態を特定の目的に対する特定の環境での特定の実施の状況でここに説明したが、当業者はその有用性はこれらに制限されることなく、本発明の実施形態は任意の数の目的に対する任意の数の環境で有利に実施することができることを理解するだろう。例えば、上の説明は使用時間またはプリペイドワイヤレス電話機に関連する単一の記憶値アカウントにまつわるが、上に開示したシステムは任意の種類の記憶値を転送するのに使用してもよいことが企図されている。上に開示したＲＦＩＤ可能な電話機は複数のアカウントへの記憶値のＲＦＩＤ転送を管理するツールとして使用してもよいことがさらに企図されている。さらに、ワイヤレス電話機がインターネットにアクセスできるようにする当業者に知られている技術を使用して、ユーザがＲＦＩＤ可能な電話機を使用して、アカウント（または、マーチャント等）から、ＲＦＩＤ可能な電話機によってアクセス可能な記憶値アカウントに、オンライン購入で使用するための値を転送してもよい。そのような値は（例えば、マーチャント端末、ガソリン給油ポンプ等の）典型的な「レンガとモルタル（現実の店舗）」での購入においても使用されてもよい。１つ以上の記憶値アカウントへのアクセスを有するＲＦＩＤ可能な電話機の使用は数多くあり、上の説明および添付の特許請求の範囲はこれらの任意の使用を除外するとして読むべきではない。
【００７１】
いくつかの実施形態では、ユーザのＲＦＩＤカードは、ＲＦＩＤカードに関係付けられた情報に基づいてカスタマイズされる相互対話を促進してもよい。ユーザのＲＦＩＤ可能な記憶値カードに関係付けられた情報に、または、ＲＦＩＤ可能なワイヤレス通信デバイスに関係付けられた情報にアクセスすることによって、小売業者はユーザにカスタマイズされた情報および／または広告を提供してもよい。例えば、特定の製品を定期的に購入している記録履歴を有するユーザは、特定の割引で第２の製品をさらに購入することを勧められてもよい。ユーザは付属のまたは無償の製品を購入するように気付かされてもよく、さらに勧められてもよい。代わりに、ユーザはある割合でＮ番目の製品毎に対して自動的に割引するというようなロイヤリティで報いられてもよい。
【００７２】
ユーザに対する通信は、チェックインキオスクにおいてクーポンを印刷することによりプライベートに伝えられてもよく、または、食品雑貨カート上に搭載された小型ディスプレイによりセミプライベートに伝えられてもよい。食品雑貨カートはＲＦＩＤリーダを含んでいてもよく、ユーザ、および、ユーザのＲＦＩＤ可能な記憶値カード、ならびに／または、ＲＦＩＤ可能なワイヤレス通信デバイスと通信してもよい。ＲＦＩＤ質問器のネットワークを確立することにより、小売商店内のユーザのロケーションが決定されてもよく、これにしたがって情報および／または広告が形成される。例えば、ユーザは「通路７のブランドＸのペーパータオルは２０％オフです」または「次の通路で左折して、大きなペパロニピザのためのナプキンを取りなさい」のようなターゲット付けされた広告を受け取ってもよい。オプション的に、ユーザは食品雑貨カート上またはユーザのＲＦＩＤ可能なワイヤレス通信デバイス上に表示されてもよいデフォルトショッピングリストを有していてもよい。
【００７３】
ＲＦＩＤカードに関係付けられた履歴データに加えて、小売業者および／または中央プロセッサはＲＦＩＤカードを追跡することにより店舗中でのユーザの進行を追跡してもよく、すべての利用可能な情報に対して予測アルゴリズムまたはエキスパートシステムを適用してもよい。例えば、ユーザがピザエリアを通過し、次にナプキンエリアの前で３０秒間止まった場合、小売業者はユーザがどのナプキンを買うべきか決めようとしているということを推論してもよく、小売業者は「ブランドＸナプキンは本日セール中です」、または、類似の提案をしてもよい。
【００７４】
要約すると、ユーザのＲＦＩＤ可能な記憶値カードまたはＲＦＩＤ可能なワイヤレス通信デバイスは、それに関係付けられた実質的な履歴情報を有していてもよい。この情報は、商品および／またはサービス選択、ならびに、購入取引の間にユーザと相互対話するために使用されてもよい。
【００７５】
本発明の範囲または精神から逸脱することなく、本発明の方法、製造、構成および／または使用において、数々の修正および変更を行うことができることが、当業者に明らかになるだろう。したがって、添付の特許請求の範囲は、ここで開示した本発明の実施形態の全体の範囲および精神を考慮して解釈すべきである。例えば、プロセス中の任意の組のステップは再順序付けされてもよく、それぞれのステップは削除されてもよく、他の関連するステップが挿入されてもよい。さらに、いくつかの実施形態はＲＦＩＤ以外の識別システムを使用して実施してもよい。いくつかの実施形態は、商品のプロバイダ、サービスのプロバイダおよび／または中央プロセッサのうちの１つ以上により実施されてもよい。
【図面の簡単な説明】
【００７６】
【図１】図１は、本発明のいくつかの実施形態にしたがった、ＲＦＩＤ可能な記憶値カードの概念図である。
【図２】図２は、本発明のいくつかの実施形態にしたがった、ＲＦＩＤ処理システムの概念図である。
【図３】図３は、本発明のいくつかの実施形態にしたがった、ＲＦＩＤ可能な記憶値カードの起動を図解するフロー図である。
【図４】図４は、本発明のいくつかの実施形態にしたがった、ＲＦＩＤ可能な記憶値カードの最初の使用を図解するフロー図である。
【図５】図５は、本発明のいくつかの実施形態にしたがった、ＲＦＩＤ可能な記憶値カードの次の使用を図解するフロー図である。
【図６】図６は、本発明のいくつかの実施形態にしたがった、ＲＦＩＤ可能な記憶値カードおよび／またはＲＦＩＤ可能なワイヤレス通信デバイスに対するシステムを図解するフロー図である。
【図１】
0004763649.tif 000002
【図２】
0004763649.tif 000003
【図３】
0004763649.tif 000004
【図４】
0004763649.tif 000005
【図５】
0004763649.tif 000006
【図６】
0004763649.tif 000007